【手続補正書】
【提出日】平成18年10月12日(2006.10.12)
【手続補正１】
【補正対象書類名】特許請求の範囲
【補正対象項目名】全文
【補正方法】変更
【補正の内容】
【特許請求の範囲】
【請求項１】
下記の式（１）または式（２）で表される化合物。
Ｒａ−（Ａ−Ｚ）ｍ−Ａ−Ｒｂ                （１）
Ｒｃ−Ｙ−（Ａ−Ｚ）ｍ−Ａ−Ｒｂ            （２）
2005179557.tif 000001
式中、Ｒａは基（３−１）、基（３−２）、基（３−３）、基（３−４）、基（３−５）または基（３−６）であり、ここにＲｄは独立に水素、ハロゲンまたは炭素数１〜５のアルキルであり、これらのアルキルにおいて任意の水素はハロゲンで置き換えられてもよいが、基（３−６）においては３個のＲｄが同時に水素であることはなく；Ｒｂは水素、ハロゲン、−ＣＦ３、−ＣＦ２Ｈ、−ＣＦＨ２、−ＯＣＦ３、−ＯＣＦ２Ｈ、−Ｎ＝Ｃ＝Ｏ、−Ｎ＝Ｃ＝Ｓ、または炭素数１〜２０のアルキルであり、これらのアルキルにおいて任意の−ＣＨ2−は−Ｏ−、−Ｓ−、−ＣＯ−、−ＣＯＯ−、−ＯＣＯ−、−ＣＨ＝ＣＨ−、−ＣＦ＝ＣＦ−、または−Ｃ≡Ｃ−で置き換えられてもよく、これらのアルキルにおいて任意の水素はハロゲンで置き換えられてもよく；Ｒｃは基（３−１）、基（３−２）、基（３−３）、基（３−４）、基（３−５）、または基（３−６）であり、ここにＲｄは独立に水素、ハロゲンまたは炭素数１〜５のアルキルであり、これらのアルキルにおいて任意の水素はハロゲンで置き換えられてもよく；Ａは独立に１，４−シクロヘキシレン、１，４−シクロヘキセニレン、１，４−フェニレン、テトラヒドロナフタレン−２，６−ジイル、またはビシクロ［２．２．２］オクタン−１，４−ジイルであり、これらの環において任意の−ＣＨ２−は−Ｏ−で置き換えられてもよく、任意の−ＣＨ＝は−Ｎ＝で置き換えられてもよく、これらの環において任意の水素はハロゲン、炭素数１〜５のアルキルまたは炭素数１〜５のハロゲン化アルキルで置き換えられてもよく；Ｙは炭素数１〜２０のアルキレンであり、これらのアルキレンにおいて任意の−ＣＨ2−は−Ｏ−、−Ｓ−、−ＣＯＯ−、または−ＯＣＯ−で置き換えられてもよく；Ｚは独立に単結合、−（ＣＨ2）ｎ−、−Ｏ（ＣＨ2）ｎ−、−（ＣＨ2）ｎＯ−、−Ｏ（ＣＨ2）ｎＯ−、−ＣＨ＝ＣＨ−、−Ｃ≡Ｃ−、−ＣＯＯ−、−ＯＣＯ−、−（ＣＦ2）2−、−Ｃ≡Ｃ−ＣＯＯ−、−ＯＣＯ−Ｃ≡Ｃ−、−ＣＨ＝ＣＨ−（ＣＨ2）2−、−（ＣＨ2）2−ＣＨ＝ＣＨ−、−ＣＦ＝ＣＦ−、−Ｃ≡Ｃ−ＣＨ＝ＣＨ−、−ＣＨ＝ＣＨ−Ｃ≡Ｃ−、−ＯＣＦ２−、または−ＣＦ２Ｏ−であり、ここにｎは１〜２０の整数であり；ｍは１〜６の整数である。ただし、ｍが１または２、Ｒｃがアクリロイルオキシ、Ｙに隣接するＡ−ＺにおいてＡが１，４−フェニレン、かつ、Ｚが−ＯＣＯ−のときＲｂはアルキルではなく、アルコキシでもなく、ｍが２でＲｃがメタクリロイルオキシ、Ｙが−Ｃ３Ｈ６−、Ｙに隣接する２つのＡ−ＺにおいてＡが１，４−シクロヘキシレン、Ｚが単結合、Ｒｂに隣接するＡが１，４−フェニレンのときＲｂはメチルではなく、そしてｍが２でＲｃが（３−４）、Ｙが−Ｃ２Ｈ４−、Ｙに隣接する２つのＡ−ＺにおいてＡが１，４−シクロヘキシレン、Ｚが単結合、Ｒｂに隣接するＡが１，４−フェニレンでＲｂのオルト位の水素がフッ素で置き換えられるときＲｂはフッ素ではない。
【請求項２】
Ｒｂが水素、ハロゲン、−ＣＦ３、−ＣＦ２Ｈ、−ＣＦＨ２、−ＯＣＦ３、−ＯＣＦ２Ｈ、−Ｎ＝Ｃ＝Ｏ、または−Ｎ＝Ｃ＝Ｓである請求項１に記載の化合物。
【請求項３】
Ｒｂが炭素数１〜２０のアルキルであるか、またはこれらのアルキルにおいて任意の−ＣＨ2−が−Ｏ−で置き換えられた基であり、かつ、ｍが３〜６の整数である請求項１に記載の化合物。
【請求項４】
Ｒｂが炭素数１〜２０のアルキルであるか、またはこれらのアルキルにおいて任意の−ＣＨ2−が−Ｏ−で置き換えられた基であり、かつ、Ｒｃは基（３−１）、基（３−２）、基（３−３）、基（３−４）、基（３−５）、または基（３−６）であり、ここにＲｄは独立に水素、ハロゲンまたは炭素数１〜５のアルキルであり、これらのアルキルにおいて任意の水素はハロゲンで置き換えられてもよいが、基（３−６）において３個のＲｄが同時に水素であることはない、請求項１に記載の化合物。
【請求項５】
Ｒｂが炭素数１〜２０のアルキルであるか、またはこれらのアルキルにおいて任意の−ＣＨ2−が−Ｏ−で置き換えられた基であり、かつ、式（２）において、Ｙに隣接するＡ−ＺのＡが独立に１，４−シクロヘキシレン、１，４−シクロヘキセニレン、テトラヒドロナフタレン−２，６−ジイル、またはビシクロ［２．２．２］オクタン−１，４−ジイルであり、これらの環において任意の−ＣＨ２−は−Ｏ−で置き換えられてもよく、任意の−ＣＨ＝は−Ｎ＝で置き換えられてもよく、これらの環において任意の水素はハロゲン、炭素数１〜５のアルキルまたは炭素数１〜５のハロゲン化アルキルで置き換えられてもよい、請求項１に記載の化合物。
【請求項６】
式（１）および式（２）において、Ｒｂが水素、ハロゲン、−ＣＦ３、−ＣＦ２Ｈ、−ＣＦＨ２、−ＯＣＦ３、−ＯＣＦ２Ｈ、炭素数１〜５のアルキル、または炭素数１〜５のアルコキシであり；Ｒｄが独立に水素、ハロゲンまたはメチルであり；Ａが独立に１，４−シクロヘキシレン、１，４−シクロヘキセニレン、１，３−ジオキサン−２，５−ジイル、１，４−フェニレン、２−フルオロ−１，４−フェニレン、２，３−ジフルオロ−１，４−フェニレン、２，５−ジフルオロ−１，４−フェニレン、２，６−ジフルオロ−１，４−フェニレン、テトラヒドロナフタレン−２，６−ジイル、ピリジン−２，５−ジイル、またはピリミジン−２，５−ジイルであり；Ｙが炭素数１〜２０のアルキレン、−Ｏ（ＣＨ2）ｒ−、または−（ＣＨ2）ｒＯ−であり、ｒは１〜１９の整数であり；Ｚが独立に単結合、−（ＣＨ2）ｎ−、−Ｏ（ＣＨ2）ｎ−、−（ＣＨ2）ｎＯ−、−ＣＨ＝ＣＨ−、−ＣＯＯ−、−ＯＣＯ−、−ＯＣＦ２−、または−ＣＦ２Ｏ−であり、ｎは１〜２０の整数であり；ｍが１〜４の整数である請求項１に記載の化合物。
【請求項７】
式（１）および式（２）において、Ｒｂが、フッ素、−ＣＦ３、−ＣＦ２Ｈ、−ＣＦＨ２、−ＯＣＦ３、−ＯＣＦ２Ｈ、炭素数１〜５のアルキル、または炭素数１〜５のアルコキシ；Ｒｄが水素、フッ素またはメチルであり；Ａが独立に１，４−シクロヘキシレン、１，３−ジオキサン−２，５−ジイル、１，４−フェニレン、２−フルオロ−１，４−フェニレン、２，３−ジフルオロ−１，４−フェニレン、２，５−ジフルオロ−１，４−フェニレン、または２，６−ジフルオロ−１，４−フェニレンであり；Ｙが炭素数１〜２０のアルキレン、−Ｏ（ＣＨ2）ｒ−、または−（ＣＨ2）ｒＯ−であり、ｒは１〜１９の整数であり；Ｚが独立に単結合、−（ＣＨ2）２−、−（ＣＨ2）４−、−ＣＨ2Ｏ−、−ＯＣＨ2−、−ＣＨ＝ＣＨ−、−ＣＯＯ−、または−ＯＣＯ−であり；ｍが１〜４の整数である請求項１に記載の化合物。
【請求項８】
式（１）および式（２）において、ＲａおよびＲｃが基（３−４）、基（３−５）または基（３−６）であり；Ｒｂが水素、ハロゲン、−ＣＦ３、−ＣＦ２Ｈ、−ＣＦＨ２、−ＯＣＦ３、−ＯＣＦ２Ｈ、炭素数１〜５のアルキル、または炭素数１〜５のアルコキシであり；Ｒｄが独立に水素、ハロゲンまたはメチルであり；Ａが独立に１，４−シクロヘキシレン、１，４−シクロヘキセニレン、１，３−ジオキサン−２，５−ジイル、１，４−フェニレン、２−フルオロ−１，４−フェニレン、２，３−ジフルオロ−１，４−フェニレン、２，５−ジフルオロ−１，４−フェニレン、２，６−ジフルオロ−１，４−フェニレン、テトラヒドロナフタレン−２，６−ジイル、ピリジン−２，５−ジイル、またはピリミジン−２，５−ジイルであり；Ｙが炭素数１〜２０のアルキレン、−Ｏ（ＣＨ2）ｒ−、または−（ＣＨ2）ｒＯ−であり、ｒは１〜１９の整数であり；Ｚが独立に単結合、−（ＣＨ2）ｎ−、−Ｏ（ＣＨ2）ｎ−、−（ＣＨ2）ｎＯ−、−ＣＨ＝ＣＨ−、−Ｃ≡Ｃ−、−ＣＯＯ−、−ＯＣＯ−、−ＯＣＦ２−、または−ＣＦ２Ｏ−であり、ｎは１〜２０の整数であり；ｍが１〜４の整数である請求項１に記載の化合物。
【請求項９】
式（１）および式（２）において、ＲａおよびＲｃが基（３−４）、基（３−５）または基（３−６）であり、ここにＲｄが独立に水素、フッ素またはメチルであり；Ｒｂが、フッ素、−ＣＦ３、−ＣＦ２Ｈ、−ＣＦＨ２、−ＯＣＦ３、−ＯＣＦ２Ｈ、炭素数１〜５のアルキル、または炭素数１〜５のアルコキシであり；Ａが独立に１，４−シクロヘキシレン、１，４−シクロヘキセニレン、１，３−ジオキサン−２，５−ジイル、１，４−フェニレン、２−フルオロ−１，４−フェニレン、２，３−ジフルオロ−１，４−フェニレン、２，５−ジフルオロ−１，４−フェニレン、または２，６−ジフルオロ−１，４−フェニレンであり；Ｙが炭素数１〜２０のアルキレン、−Ｏ（ＣＨ2）ｒ−、または−（ＣＨ2）ｒＯ−であり、ｒは１〜１９の整数であり；Ｚが独立に単結合、−（ＣＨ2）２−、−（ＣＨ2）４−、−ＣＨ2Ｏ−、−ＯＣＨ2−、−ＣＨ＝ＣＨ−、−ＣＯＯ−、または−ＯＣＯ−であり；ｍが１〜４の整数である請求項１に記載の化合物。
【請求項１０】
式（２）において、Ｒｂが、フッ素、−ＣＦ３、−ＣＦ２Ｈ、−ＣＦＨ２、−ＯＣＦ３、−ＯＣＦ２Ｈ、炭素数１〜５のアルキル、または炭素数１〜５のアルコキシであり；Ｒｃが基（３−６）であり、ここにＲｄが独立に水素、フッ素またはメチルであり；Ａが独立に１，４−シクロヘキシレン、１，４−シクロヘキセニレン、１，３−ジオキサン−２，５−ジイル、１，４−フェニレン、２−フルオロ−１，４−フェニレン、２，３−ジフルオロ−１，４−フェニレン、２，５−ジフルオロ−１，４−フェニレン、または２，６−ジフルオロ−１，４−フェニレンであり；Ｙが炭素数１〜２０のアルキレン、−Ｏ（ＣＨ2）ｒ−、または−（ＣＨ2）ｒＯ−であり、ｒは１〜１９の整数であり；Ｚが独立に単結合、−（ＣＨ2）２−、−（ＣＨ2）４−、−ＣＨ2Ｏ−、−ＯＣＨ2−、−ＣＨ＝ＣＨ−、−ＣＯＯ−、または−ＯＣＯ−であり；ｍが１〜４の整数である請求項１に記載の化合物。
【請求項１１】
式（１）および式（２）において、ｍが１である請求項９または１０に記載の化合物。
【請求項１２】
式（１）および式（２）において、ｍが２である請求項９または１０に記載の化合物。
【請求項１３】
式（１）および式（２）において、ｍが３である請求項９または１０に記載の化合物。
【請求項１４】
式（１）または式（２）で表される化合物が、下記の式（I）〜（VIII）で表されるいずれか１つの化合物である請求項１に記載の化合物。
Ｒａ−Ａ−Ｚ−Ａ−Ｒｂ                     （I）
Ｒａ−（Ａ−Ｚ）２−Ａ−Ｒｂ                （II）
Ｒａ−（Ａ−Ｚ）３−Ａ−Ｒｂ                （III）
Ｒａ−（Ａ−Ｚ）４−Ａ−Ｒｂ                （IV）
Ｒｃ−Ｙ−Ａ−Ｚ−Ａ−Ｒｂ                 （V）
Ｒｃ−Ｙ−（Ａ−Ｚ）２−Ａ−Ｒｂ            （VI）
Ｒｃ−Ｙ−（Ａ−Ｚ）３−Ａ−Ｒｂ            （VII）
Ｒｃ−Ｙ−（Ａ−Ｚ）４−Ａ−Ｒｂ            （VIII）
2005179557.tif 000002
式中、ＲａおよびＲｃは基（３−１）、基（３−２）、基（３−３）、基（３−４）、基（３−５）または基（３−６）であり；Ｒｂが水素、ハロゲン、−ＣＦ３、−ＣＦ２Ｈ、−ＣＦＨ２、−ＯＣＦ３、−ＯＣＦ２Ｈ、炭素数１〜５のアルキル、または炭素数１〜５のアルコキシであり；Ｒｄは水素、ハロゲンまたはメチルであり；Ａが１，４−シクロヘキシレン、１，４−シクロヘキセニレン、１，３−ジオキサン−２，５−ジイル、１，４−フェニレン、２−フルオロ−１，４−フェニレン、２，３−ジフルオロ−１，４−フェニレン、２，５−ジフルオロ−１，４−フェニレン、２，６−ジフルオロ−１，４−フェニレン、テトラヒドロナフタレン−２，６−ジイル、ピリジン−２，５−ジイル、またはピリミジン−２，５−ジイルであり；Ｙが炭素数１〜２０のアルキレン、−Ｏ（ＣＨ2）ｒ−、または−（ＣＨ2）ｒＯ−であり、ｒは１〜１９の整数であり；Ｚが単結合、−（ＣＨ2）ｎ−、−Ｏ（ＣＨ2）ｎ−、−（ＣＨ2）ｎＯ−、−ＣＨ＝ＣＨ−、−Ｃ≡Ｃ−、−ＣＯＯ−、−ＯＣＯ−、−ＯＣＦ２−、または−ＣＦ２Ｏ−であり、ｎは１〜２０の整数である。
【請求項１５】
式（I）〜（VIII）において、Ｒｂが、フッ素、−ＣＦ３、−ＣＦ２Ｈ、−ＣＦＨ２、−ＯＣＦ３、−ＯＣＦ２Ｈ、炭素数１〜５のアルキル、または炭素数１〜３のアルコキシであり；Ｒｄが水素、フッ素またはメチルであり；Ａが１，４−シクロヘキシレン、１，３−ジオキサン−２，５−ジイル、１，４−フェニレン、２−フルオロ−１，４−フェニレン、２，３−ジフルオロ−１，４−フェニレン、２，５−ジフルオロ−１，４−フェニレン、または２，６−ジフルオロ−１，４−フェニレンであり；Ｙが炭素数１〜２０のアルキレン、−Ｏ（ＣＨ2）ｒ−、または−（ＣＨ2）ｒＯ−であり、ｒは１〜１９の整数であり；Ｚが単結合、−（ＣＨ2）２−、−（ＣＨ2）４−、−ＣＨ2Ｏ−、−ＯＣＨ2−、−ＣＨ＝ＣＨ−、−ＣＯＯ−、または−ＯＣＯ−である請求項１４に記載の化合物。
【請求項１６】
式（Ｉ）〜（VIII）において、ＲａおよびＲｃが基（３−４）、基（３−５）または基（３−６）であり；Ｒｂが水素、ハロゲン、−ＣＦ３、−ＣＦ２Ｈ、−ＣＦＨ２、−ＯＣＦ３、−ＯＣＦ２Ｈ、炭素数１〜５のアルキル、または炭素数１〜５のアルコキシであり；Ｒｄが水素、ハロゲンまたはメチルであり；Ａが１，４−シクロヘキシレン、１，４−シクロヘキセニレン、１，３−ジオキサン−２，５−ジイル、１，４−フェニレン、２−フルオロ−１，４−フェニレン、２，３−ジフルオロ−１，４−フェニレン、２，５−ジフルオロ−１，４−フェニレン、２，６−ジフルオロ−１，４−フェニレン、テトラヒドロナフタレン−２，６−ジイル、ピリジン−２，５−ジイル、またはピリミジン−２，５−ジイルであり；Ｙが炭素数１〜２０のアルキレン、−Ｏ（ＣＨ2）ｒ−、または−（ＣＨ2）ｒＯ−であり、ｒは１〜１９の整数であり；Ｚが単結合、−（ＣＨ2）ｎ−、−Ｏ（ＣＨ2）ｎ−、−（ＣＨ2）ｎＯ−、−ＣＨ＝ＣＨ−、−Ｃ≡Ｃ−、−ＣＯＯ−、−ＯＣＯ−、−ＯＣＦ２−、または−ＣＦ２Ｏ−であり、ｎは１〜２０の整数である請求項１４に記載の化合物。
【請求項１７】
式（Ｉ）〜（VIII）において、ＲａおよびＲｃが基（３−４）、基（３−５）または基（３−６）であり；Ｒｂが、フッ素、−ＣＦ３、−ＣＦ２Ｈ、−ＣＦＨ２、−ＯＣＦ３、−ＯＣＦ２Ｈ、炭素数１〜５のアルキル、または炭素数１〜５のアルコキシ；Ｒｄが水素、フッ素またはメチルであり；Ａが１，４−シクロヘキシレン、１，４−シクロヘキセニレン、１，３−ジオキサン−２，５−ジイル、１，４−フェニレン、２−フルオロ−１，４−フェニレン、２，３−ジフルオロ−１，４−フェニレン、２，５−ジフルオロ−１，４−フェニレン、または２，６−ジフルオロ−１，４−フェニレンであり；Ｙが炭素数１〜２０のアルキレン、−Ｏ（ＣＨ2）ｒ−、または−（ＣＨ2）ｒＯ−であり、ｒは１〜１９の整数であり；Ｚが単結合、−（ＣＨ2）２−、−（ＣＨ2）４−、−ＣＨ2Ｏ−、−ＯＣＨ2−、−ＣＨ＝ＣＨ−、−ＣＯＯ−、または−ＯＣＯ−である請求項１４に記載の化合物。
【請求項１８】
式（V）〜（VIII）において、Ｒｃが基（３−６）であり；Ｒｂが、フッ素、−ＣＦ３、−ＣＦ２Ｈ、−ＣＦＨ２、−ＯＣＦ３、−ＯＣＦ２Ｈ、炭素数１〜５のアルキル、または炭素数１〜５のアルコキシ；Ｒｄが水素、フッ素またはメチルであり；Ａが１，４−シクロヘキシレン、１，４−シクロヘキセニレン、１，３−ジオキサン−２，５−ジイル、１，４−フェニレン、２−フルオロ−１，４−フェニレン、２，３−ジフルオロ−１，４−フェニレン、２，５−ジフルオロ−１，４−フェニレン、または２，６−ジフルオロ−１，４−フェニレンであり；Ｙが炭素数１〜２０のアルキレン、−Ｏ（ＣＨ2）ｒ−、または−（ＣＨ2）ｒＯ−であり、ｒは１〜１９の整数であり；Ｚが単結合、−（ＣＨ2）２−、−（ＣＨ2）４−、−ＣＨ2Ｏ−、−ＯＣＨ2−、−ＣＨ＝ＣＨ−、−ＣＯＯ−、または−ＯＣＯ−である請求項１４に記載の化合物。
【請求項１９】
少なくとも２つの重合性化合物を含有し、少なくとも１つの重合性化合物が請求項１に記載の化合物である液晶組成物。
【請求項２０】
少なくとも２つの重合性化合物が請求項１に記載の化合物である、請求項１９に記載の液晶組成物。
【請求項２１】
少なくとも１つの重合性化合物が請求項１に記載の化合物であり、他の少なくとも１つの重合性化合物が請求項１に記載の化合物とは異なる化合物である、請求項１９に記載の液晶組成物。
【請求項２２】
請求項１に記載の少なくとも１つの重合性化合物と、少なくとも１つの液晶性を有する非重合性化合物とを含有する液晶組成物。
【請求項２３】
式（６−１）〜（６−６）で示される構成単位の少なくとも１種を有する、請求項１〜１８に記載の化合物から得られる重合体。
2005179557.tif 000003
【請求項２４】
請求項１〜１８に記載の化合物の１つを単独重合させて得られる重合体。
【請求項２５】
請求項１９〜２１のいずれか１項に記載の液晶組成物から得られる重合体。
【請求項２６】
請求項２２に記載の液晶組成物から得られる重合体組成物。
【請求項２７】
請求項２３〜２５のいずれか１項に記載の重合体または請求項２６に記載の重合体組成物からなるフィルム。
【請求項２８】
請求項２３〜２５のいずれか１項に記載の重合体または請求項２６に記載の重合体組成物からなる光学異方性を有する成形体。
【請求項２９】
請求項２３〜２５のいずれか１項に記載の重合体または請求項２６に記載の重合体組成物を含有する液晶表示素子。
【手続補正２】
【補正対象書類名】明細書
【補正対象項目名】０００９
【補正方法】変更
【補正の内容】
【０００９】
式中、Ｒａは基（３−１）、基（３−２）、基（３−３）、基（３−４）、基（３−５）または基（３−６）であり、ここにＲｄは独立に水素、ハロゲンまたは炭素数１〜５のアルキルであり、これらのアルキルにおいて任意の水素はハロゲンで置き換えられてもよいが、基（３−６）においては３個のＲｄが同時に水素であることはなく；Ｒｂは水素、ハロゲン、−ＣＦ３、−ＣＦ２Ｈ、−ＣＦＨ２、−ＯＣＦ３、−ＯＣＦ２Ｈ、−Ｎ＝Ｃ＝Ｏ、−Ｎ＝Ｃ＝Ｓ、または炭素数１〜２０のアルキルであり、これらのアルキルにおいて任意の−ＣＨ2−は−Ｏ−、−Ｓ−、−ＣＯ−、−ＣＯＯ−、−ＯＣＯ−、−ＣＨ＝ＣＨ−、−ＣＦ＝ＣＦ−、または−Ｃ≡Ｃ−で置き換えられてもよく、これらのアルキルにおいて任意の水素はハロゲンで置き換えられてもよく；Ｒｃは基（３−１）、基（３−２）、基（３−３）、基（３−４）、基（３−５）、または基（３−６）であり、ここにＲｄは独立に水素、ハロゲンまたは炭素数１〜５のアルキルであり、これらのアルキルにおいて任意の水素はハロゲンで置き換えられてもよく；Ａは独立に１，４−シクロヘキシレン、１，４−シクロヘキセニレン、１，４−フェニレン、テトラヒドロナフタレン−２，６−ジイル、またはビシクロ［２．２．２］オクタン−１，４−ジイルであり、これらの環において任意の−ＣＨ２−は−Ｏ−で置き換えられてもよく、任意の−ＣＨ＝は−Ｎ＝で置き換えられてもよく、これらの環において任意の水素はハロゲン、炭素数１〜５のアルキルまたは炭素数１〜５のハロゲン化アルキルで置き換えられてもよく；Ｙは炭素数１〜２０のアルキレンであり、これらのアルキレンにおいて任意の−ＣＨ2−は−Ｏ−、−Ｓ−、−ＣＯＯ−、または−ＯＣＯ−で置き換えられてもよく；Ｚは独立に単結合、−（ＣＨ2）ｎ−、−Ｏ（ＣＨ2）ｎ−、−（ＣＨ2）ｎＯ−、−Ｏ（ＣＨ2）ｎＯ−、−ＣＨ＝ＣＨ−、−Ｃ≡Ｃ−、−ＣＯＯ−、−ＯＣＯ−、−（ＣＦ2）2−、−Ｃ≡Ｃ−ＣＯＯ−、−ＯＣＯ−Ｃ≡Ｃ−、−ＣＨ＝ＣＨ−（ＣＨ2）2−、−（ＣＨ2）2−ＣＨ＝ＣＨ−、−ＣＦ＝ＣＦ−、−Ｃ≡Ｃ−ＣＨ＝ＣＨ−、−ＣＨ＝ＣＨ−Ｃ≡Ｃ−、−ＯＣＦ２−、または−ＣＦ２Ｏ−であり、ここにｎは１〜２０の整数であり；ｍは１〜６の整数である。ただし、ｍが１または２、Ｒｃがアクリロイルオキシ、Ｙに隣接するＡ−ＺにおいてＡが１，４−フェニレン、かつ、Ｚが−ＯＣＯ−のときＲｂはアルキルではなく、アルコキシでもなく、ｍが２でＲｃがメタクリロイルオキシ、Ｙが−Ｃ３Ｈ６−、Ｙに隣接する２つのＡ−ＺにおいてＡが１，４−シクロヘキシレン、Ｚが単結合、Ｒｂに隣接するＡが１，４−フェニレンのときＲｂはメチルではなく、そしてｍが２でＲｃが（３−４）、Ｙが−Ｃ２Ｈ４−、Ｙに隣接する２つのＡ−ＺにおいてＡが１，４−シクロヘキシレン、Ｚが単結合、Ｒｂに隣接するＡが１，４−フェニレンでＲｂのオルト位の水素がフッ素で置き換えられるときＲｂはフッ素ではない。
以  上